(57)【要約】【課題】複合サッシにおいて、樹脂形材部分が溶け落ちることにより枠障子間に生じる隙間を効率よく閉塞することができる複合サッシを提供する。【解決手段】  開口部に固定される枠体と、アルミ形材からなる框材と樹脂材料とからなる框材を有する縦框及び横框を有し縦框の内周面に横框の端面を突き当てて框組してなる障子を備え、障子を構成するアルミ形材からなる框材の外周面に樹脂材料からなる框材の外周面を覆う金属製の框補助材を取り付けてあり、樹脂材料からなる框材は、室内側外周面に長手方向に沿って突条部が形成されており、框補助材は、室内側端の縁部を樹脂材料からなる框材の突条部に当接させて取り付けてある。【選択図】図４
2018048484.tif 000002
【特許請求の範囲】
【請求項１】
開口部に固定される枠体と、アルミ形材からなる室外側の框材と樹脂材料からなる室内側の框材を框組してなる障子を備え、
障子を構成するアルミ形材からなる框材の外周面に樹脂材料からなる框材の外周面を覆う金属製の框補助材を取り付けてあり、
樹脂材料からなる框材は、室内側外周面に長手方向に沿って突条部が形成されており、
框補助材は、室内側端の縁部を樹脂材料からなる框材の突条部の室外側面に当接させて取り付けてある
ことを特徴とする建具。
【発明の詳細な説明】
【技術分野】
【０００１】
アルミ形材と樹脂形材とからなる框材を框組みしてなる障子を備える複合サッシに関する。
【背景技術】
【０００２】
近年、枠体及び框体をアルミ形材と樹脂形材とからなる複合枠、複合框として形成し、断熱性を高めた複合サッシが周知となっている。
そして、複合サッシにおいても、防火性能を高めることは必須の事項となっているが、複合サッシにおいては、火災時に樹脂形材が溶け出して、樹脂形材が配置されている部分に隙間が生じることから、樹脂形材を覆うように、金属製の補助材を配置してなる複合サッシが知られている。
【先行技術文献】
【特許文献】
【０００３】
【特許文献１】特開２０１４−１７７８５２号
【発明の概要】
【発明が解決しようとする課題】
【０００４】
しかし、上記先行技術文献の複合サッシにおいては、補助材により樹脂形材を単に覆うだけに留まっており、補助材の先端部が樹脂形材から突出するなど、使用者の手や指に当たって怪我をする危険性があった。
また、枠材に加熱膨張材を配置しているが、加熱時に加熱膨張材が膨張することによって枠障子間を効率よく閉鎖することについては、何ら検討されておらず、加熱膨張材を多く配置する必要があるなどの問題点があった。
【０００５】
本発明の建具は、上記の事情を鑑み、複合サッシにおいて、樹脂形材部分が溶け落ちることにより枠障子間に生じる隙間を閉塞することができ、かつ、通常時には、隙間を閉塞する金属部材との接触による怪我等が発生することのない複合サッシを提供することを目的とする。
【課題を解決するための手段】
【０００６】
本発明は、開口部に固定される枠体と、アルミ形材からなる框材と樹脂材料とからなる框材を有する縦框及び横框を有し縦框の内周面に横框の端面を突き当てて框組してなる障子を備え、障子を構成するアルミ形材からなる框材の外周面に樹脂材料からなる框材の外周面を覆う金属製の框補助材を取り付けてあり、樹脂材料からなる框材は、室内側外周面に長手方向に沿って突条部が形成されており、框補助材は、室内側端の縁部を樹脂材料からなる框材の突条部に当接させて取り付けてあることを特徴とする。
【発明の効果】
【０００７】
本発明によれば、複合サッシにおいて、樹脂形材部分が溶け落ちることにより枠障子間に生じる隙間を閉塞することができ、通常時には、隙間を閉塞する金属製の補助材が室内側に露出することを防いで、補助材との接触による怪我等を防止することができる。
【図面の簡単な説明】
【０００８】
【図１】本発明の実施形態に係る勝手口ドアの内観図である。
【図２】本発明の実施形態に係る勝手口ドアの縦断面図である。
【図３】本発明の実施形態に係る勝手口ドアの横断面図である。
【図４】本発明の実施形態に係る勝手口ドアの左縦枠及び左縦框の縦断面図であり、（ａ）は通常閉鎖状態における縦断面図であり、（ｂ）は火災時に樹脂枠及び樹脂框が溶融した状態における縦断面図である。
【図５】本発明の実施形態に係る勝手口ドアの左縦框の上方部分の図であり、（ａ）は左縦框上端部に端部キャップを装着する前の斜視図、（ｂ）は左縦框上端部に端部キャップを装着した後の斜視図である。
【発明を実施するための形態】
【０００９】
（建具の全体構成）
本発明の建具を、実施形態として建物の勝手口ドアを用いて説明する。
本発明の実施形態に係る勝手口ドアは、図１に示すように、上枠１１，下枠１２及び左、右縦枠１３，１４を四周に組んでなり、建物の開口部に設置されてなる枠体１に対して、上框２１、下框２２及び左、右縦框２３，２４を四周に組んでなる框枠の内周にパネル等が装着されてなるドア本体（障子）２をヒンジｈにより開閉自在に支持して構成されている。
【００１０】
枠体１を構成する上枠１１は、図２に示すように、建物開口部に固定されるアルミ形材からなる金属上枠１１１と、金属上枠１１１の室内側内周を覆う樹脂材料からなる樹脂上枠１１２とを備えている。
金属上枠１１１は、建物開口部の室外側から室外側に張り出すように固定される中空の上枠本体部１１１ａと、上枠本体部１１１ａの室内側側面から室内側に延びる上枠室内側部１１１ｂを有しており、内周面（下面）には上枠本体部１１１ａと上枠室内側部１１１ｂとに亘って上方に凹む凹部１１１ｃが形成されている。
【００１１】
樹脂上枠１１２は、金属上枠１１１の凹部１１１ｃに配置される樹脂上枠室外側部１１２ａと、樹脂上枠室外側部１１２ａの室内側から下方（内周）方向に延設される中空構造の上戸当部１１２ｂと、上戸当部１１２ｂの室内側に設けられる下方に開口する溝状の樹脂上枠固定部１１２ｃと、樹脂上枠固定部１１２ｃの室内側に設けられ躯体に固定される顎部１１２ｄと、樹脂上枠固定部１１２ｃの開口を閉塞する上樹脂キャップ１１２ｅとを備え、全体として略Ｌ字状に形成されている。
そして、金属上枠１１１の上枠本体部１１１ａの内周面から樹脂上枠１１２の樹脂上枠室外側部１１２ａの内周面および上戸当部１１２ｂの室外側面にかけて、ステンレス等の金属部材からなる断面Ｌ字状の補強部材５１が固定されている。
さらに、金属上枠１１１の上枠本体部１１１ａの室外側の内周面（下面）には、加熱により膨張する加熱膨張材ｆ１が配置されているとともに、樹脂上枠１１２の上戸当部１１２ｂの室外側面の下端には、一部が加熱膨張材により形成された気密材ｓ１が室外側に向けて配置されている。
【００１２】
枠体１を構成する下枠１２は、図２に示すように、建物開口部に固定されるアルミ形材からなる金属下枠１２１と、金属下枠１２１の室内側内周を覆う樹脂材料からなる樹脂下枠１２２とを備えている。
金属下枠１２１は、建物開口部の室外側の内周から室外側に張り出すように固定される下枠本体部１２１ａと、下枠本体部１２１ａの室内側上端から室内側に延びる下枠立上り部１２１ｂを有している。
【００１３】
樹脂下枠１２２は、中空構造の下戸当部１２２ａと、下戸当部１２２ａの室内側から延設される顎部１２２ｂとを備え、下戸当部１２２ａが金属下枠１２１の下枠立上り部１２１ｂの上面に取り付けられて、顎部１２２ｂが躯体に固定されている。
樹脂下枠１２２の下戸当部１２２ａの室外側面には、一部が加熱膨張材により形成された気密材ｓ２が室外側に向けて配置されている。
【００１４】
枠体１を構成する左、右縦枠１３，１４は、図３に示すように、建物開口部に固定されるアルミ形材からなる左、右金属縦枠１３１，１４１と、左、右金属縦枠１３１，１４１の室内側内周を覆う左、右樹脂縦枠を備えている。
左、右金属縦枠１３１，１４１は、建物開口部の室外側から室外側に張り出すように固定される中空の左、右縦枠本体部１３１ａ，１４１ａと、左、右縦枠本体部１３１ａ，１４１ａの室内側に延びる左、右縦枠室内側部１３１ｂ，１４１ｂを有しており、左、右縦枠本体部１３１ａ，１４１ａの内周面の室内側端部に外周に凹む段部１３１ｃ，１４１ｃが形成されている。
【００１５】
左、右樹脂縦枠は、左、右金属縦枠１３１，１４１の左、右縦枠室内側部１３１ｂ，１４１ｂに固定される左、右主樹脂縦枠１３２，１４２と、左、右主樹脂縦枠１３２，１４２の内周に固定される左、右副樹脂縦枠１３３，１４３を有している。左、右主樹脂縦枠１３２，１４２は、室外側の左、右主樹脂縦枠中空部１３２ａ，１４２ａと、左、右主樹脂縦枠中空部１３２ａ，１４２ａの室内側に連設され内周方向に開口する左、右主樹脂縦枠溝部１３２ｂ，１４２ｂと、左、右主樹脂縦枠中空部１３２ａ，１４２ａの内周側面から内周側に突設される左、右戸当部１３２ｃ，１４２ｃを有している。
左、右副樹脂縦枠１３３，１４３は、室内側の左、右副樹脂縦枠中空部１３３ａ，１４３ａと、左、右副樹脂縦枠中空部１３３ａ，１４３ａの室外側に連設される左、右副樹脂縦枠室外側部１３３ｂ、１４３ｂと、左、右副樹脂縦枠中空部１３３ａ，１４３ａの室内側に延び躯体に固定される顎部１３３ｃ、１４３ｃを有している。そして、左、右主樹脂縦枠１３２，１４２に左、右副樹脂縦枠１３３，１４３を固定することで、両者間に、さらに２つの中空部が形成され、全体として、左、右金属縦枠１３１，１４１の左、右縦枠室内側部１３１ｂ，１４１ｂから内周に突出する戸当たりが形成される。
【００１６】
そして、左、右金属縦枠１３１，１４１の左、右縦枠本体部１３１ａ，１４１ａの室内側内周面から左、右主樹脂縦枠１３２，１４２の左、右主樹脂縦枠中空部１３２ａ，１４２ａの内周面および左、右戸当部１３２ｃ，１４２ｃの室内側面にかけてステンレス等の金属部材からなる断面Ｌ字状の補強部材５３，５４が固定されている。
左、右樹脂縦枠の左、右戸当部１３２ｃ，１４２ｃの室外側面内周端には、一部が加熱膨張材により形成された気密材ｓ３，ｓ４が室外側に向けて配置されている。
【００１７】
ドア本体２を構成する上框（横框）２１は、図２に示すように、室外側を構成するアルミ形材からなる金属上框（框材）２１１と、金属上框２１１の室内側に配置される樹脂材料からなる樹脂上框（框材）２１２を備えている。
金属上框２１１は、中空部からなる上框本体部２１１ａと、上框本体部２１１ａの室外側上端から上方に延設される上框上壁部２１１ｂと、上框本体部２１１ａの室外側下端から下方に延設される上框間口外壁部２１１ｃを有しており、上框本体部２１１ａの中空部内には、金属材料からなる補強部材６１が配置されている。
【００１８】
補強部材６１は、上框本体部２１１ａの中空部の室外側面に沿って配置される室外側壁部６１ａと、室外側壁部６１ａの上下端から室内側に向かって屈曲されて延設される上壁部６１ｂおよび底壁部６１ｃとからなる断面略Ｕ字状の長尺部材からなり、上框本体部２１１ａの長さ方向略全長に亘って配置されている。
補強部材６１の上下方向の見付け寸法は、上框本体部２１１ａの中空部内に設けられている上下タッピングホール間の寸法と略同等となっており、室外側壁部６１ａを上框本体部２１１ａの中空部の室外側面に当接させた状態で、上下タッピングホールと上壁部６１ｂおよび底壁部６１ｃが見付け方向に重なるように配置され、上壁部６１ｂおよび底壁部６１ｃがそれぞれ上框本体部２１１ａの中空部の上面および底面にネジ等の固定手段によって固定されている。
【００１９】
樹脂上框２１２は、中空部を上下方向に並べて形成され上框本体部２１１ａの室内側面を覆う樹脂上框本体部２１２ａと、樹脂上框本体部２１２ａの室内側下端から下方に延設され、上框間口外壁部２１１ｃとともに上パネル間口２１ａを構成する上框間口内壁部２１２ｃを有している。
そして、樹脂上框本体部２１２ａには、室外側から上框本体部２１１ａに向かって複数の条片２１２ｄが設けられており、上框本体部２１１ａの室内側に当接することで上框本体部２１１ａと樹脂上框本体部２１２ａとの間に複数の中空部が形成されている。
また、金属上框２１１の上面と樹脂上框２１２の上面にかけてステンレス等の金属部材からなる補強部材５６が固定されている。
【００２０】
ドア本体２を構成する下框（横框）２２は、図２に示すように、上框２１と略同様に形成されており、室外側を構成するアルミ形材からなる金属下框（框材）２２１と、金属下框２２１の室内側に配置される樹脂材料からなる樹脂下框（框材）２２２を備えている。
金属下框２２１は、中空部からなる下框本体部２２１ａと、下框本体部２２１ａの室外側下端から下方に延設される下框下壁部２２１ｂと、下框本体部２２１ａの室外側上端から上方に延設される下框間口外壁部２２１ｃを有しており、下框本体部２２１ａの中空部内には、金属材料からなる補強部材６２が配置されている。
【００２１】
補強部材６２は、下框本体部２２１ａの室外側面に沿って配置される室外側壁部６２ａと、室外側壁部６２ａの上下端から室内側に向かって屈曲されて延設される上壁部６２ｂおよび底壁部６２ｃとからなる断面略Ｕ字状の長尺部材からなり、下框本体部２２１ａの長さ方向略全長に亘って配置されている。
補強部材６２の上下方向の見付け寸法は、下框本体部２２１ａの中空部内に設けられている上下タッピングホール間の寸法と略同等となっており、室外側壁部６２ａを下框本体部２２１ａの中空部の室外側面に当接させた状態で、上下タッピングホールと上壁部６２ｂおよび底壁部６２ｃが見付け方向に重なるように配置され、上壁部６２ｂおよび底壁部６２ｃがそれぞれ下框本体部２２１ａの中空部の上面および底面にネジ等の固定手段によって固定されている。
【００２２】
樹脂下框２２２は、中空部を上下方向に並べて形成され下框本体部２２１ａの室内側面を覆う樹脂下框本体部２２２ａと、樹脂下框本体部２２２ａの室内側上端から上方に延設され下框間口外壁部２２１ｃともに下パネル間口２２ａを構成する下框間口内壁部２２２ｃを有している。
そして、樹脂下框本体部２２２ａには、室外側から下框本体部２２１ａに向かって複数の条片２２２ｄが設けられており、下框本体部２２１ａの室内側に当接することで下框本体部２２１ａと樹脂下框本体部２２２ａとの間に複数の中空が形成されている。
また、金属下框２２１の下面と樹脂下框２２２の下面にかけてステンレス等の金属部材からなる補強部材５７が固定されている。
【００２３】
ドア本体２を構成する左縦框（縦框）２３は、図３に示すように、室外側を構成するアルミ形材からなる金属左縦框（框材）２３１と、金属左縦框２３１の室内側に配置される樹脂材料からなる樹脂左縦框（框材）２３２を備えている。
金属左縦框２３１は、中空部からなる左縦框本体部２３１ａと、左縦框本体部２３１ａの室外側内周端から内周方向に延設される左縦框間口外壁部２３１ｂを有しており、
左縦框本体部２３１ａの中空部内には、金属材料からなる補強部材６３が配置されている。
【００２４】
左縦框本体部２３１ａは、外周側見込み面にヒンジｈの一方側ヒンジ板ｈ１が固定されている。外周側見込み面に連続する室内側面と内周側見込み面に連続する室内側面は段部２３１ｄにより連結され、見込み寸法の大きな外周側中空部分と見込み寸法の小さな内周側中空部分とが形成されており、内周側見込み面の見込み寸法が外周側見込み面の見込み寸法に比べて小さく形成されている。
【００２５】
補強部材６３は、左縦框本体部２３１ａの室外側面に沿って配置される室外側壁部６３ａと、室外側壁部６３ａの左右端から室内側に向かって屈曲されて延設される外周壁部６３ｂおよび内周壁部６３ｃとからなる断面略Ｕ字状の長尺部材からなり、左縦框本体部２３１ａの長さ方向略全長に亘って配置されている。
補強部材６３の左右方向の見付け寸法は、左縦框本体部２３１ａの中空部において見込み寸法の小さな内周側中空部分の左右方向見付け寸法と略同等となっており、室外側壁部６３ａおよび内周壁部６３ｃを左縦框本体部２３１ａの中空部の室外側面及び内周側面に当接させた状態で、内周壁部６３ｃが左縦框本体部２３１ａの中空部の内周面にネジ等の固定手段により固定されている。
【００２６】
樹脂左縦框２３２は、中空部を左右方向に並べて形成され左縦框本体部２３１ａの室内側面を覆う樹脂左縦框本体部２３２ａと、樹脂左縦框本体部２３２ａの室内側内周端から内周方向に延設され左縦框間口外壁部２３１ｂとともに左パネル間口２３ａを構成する左縦框間口内壁部２３２ｃを有している。
樹脂左縦框本体部２３２ａの室外側には、左縦框本体部２３１ａに向かって複数の条片２３２ｄが突設され、内周端部には左縦框本体部２３１ａの内周側端に向かって中空部２３２ｅが設けられており、それぞれ左縦框本体部２３１ａの室内側に当接することで左縦框本体部２３１ａと樹脂左縦框本体部２３２ａとの間に複数の中空部が形成されている。
また、金属左縦框２３１の外周面と樹脂左縦框２３２の外周面にかけてステンレス等の金属部材からなる補強部材５８が固定されている。
【００２７】
ドア本体２を構成する右縦框（縦框）２４は、図３に示すように、室外側を構成するアルミ形材からなる金属右縦框（框材）２４１と、金属右縦框２４１の室内側に配置される樹脂材料からなる樹脂右縦框（框材）２４２を備えている。
金属右縦框２４１は、中空の右縦框本体部２４１ａと、右縦框本体部２４１ａの室外側外周端から室外側に延びその後外周側に屈曲して延設される右縦框煙返し部２４１ｂと、右縦框本体部２４１ａの室外側内周端から内周方向に延設される右縦框間口外壁部２４１ｃを有しており、右縦框本体部２４１ａの中空部内には、金属材料からなる補強部材６４が配置されている。
【００２８】
右縦框本体部２４１ａは、外周側見込み面にロック装置等の金具が固定されている。外周側見込み面に連続する室内側面と内周側見込み面に連続する室内側面は段部２４１ｄにより連結され、見込み寸法の大きな外周側中空部分と見込み寸法の小さな内周側中空部分とが形成されており、内周側見込み面の見込み寸法が外周側見込み面の見込み寸法に比べて小さく形成されている。
【００２９】
補強部材６４は、右縦框本体部２４１ａの室外側面に沿って配置される室外側壁部６４ａと、室外側壁部６４ａの左右端から室内側に向かって屈曲されて延設される外周壁部６４ｂおよび内周壁部６４ｃとからなる断面略Ｕ字状の長尺部材からなり、左縦框本体部２３１ａの長さ方向略全長に亘って配置されている。
補強部材６４の左右方向の見付け寸法は、右縦框本体部２４１ａの中空部の見付け寸法と略同等となっており、室外側壁部６４ａおよび内周壁部６４ｃを右縦框本体部２４１ａの中空部の室外側面及び内周側面に当接させた状態で、内周壁部６４ｃが左縦框本体部２３１ａの中空部の内周面にネジ等の固定手段により固定されている。
【００３０】
樹脂右縦框２４２は、中空部を左右方向に並べて形成され右縦框本体部２４１ａの室内側面を覆う樹脂右縦框本体部２４２ａと、樹脂右縦框本体部２４２ａの室内側内周端から内周方向に延設され右縦框間口外壁部２４１ｃとともに右パネル間口２４ａを構成する右縦框間口内壁部２４２ｃを有している。
樹脂右縦框本体部２４２ａの室外側には、右縦框本体部２４１ａに向かって複数の条片２４２ｄが突設され、内周端部には右縦框本体部２４１ａの内周側端に向かって中空部２４２ｅが設けられており、それぞれ右縦框本体部２４１ａの室内側に当接することで右縦框本体部２４１ａと樹脂右縦框本体部２４２ａとの間に複数の中空部が形成されている。
【００３１】
そして、上框２１及び下框２２に形成される上、下パネル間口２１ａ，２２ａと、左、右縦框２３，２４に形成される左、右パネル間口２３ａ，２４ａに対してガラス等のパネル体がグレイジングチャンネルを介して装着されることにより、ドア本体２が形成されている。
【００３２】
（障子の防火構造）
本実施形態の勝手口ドアは、ドア本体２を構成する各框材を、アルミ形材からなる金属框材の室内側に樹脂材料からなる樹脂框材を配置してなる複合框で形成することにより、断熱性を有する障子として形成されている。
そして、金属框材の見込み寸法を小さくして、樹脂框材の見込み寸法を大きくすることにより、断熱性をさらに向上させることができるが、樹脂框材の見込み寸法が大きくなると、火災時には、樹脂框材が溶解した際に生じる連通孔が大きくなり、火災の延焼の可能性が大きくなる。
そこで、本実施形態の勝手口ドアにおいては、ドア本体を構成するアルミ形材からなる框材の外周面に樹脂材料からなる框材を覆う金属製の框補助材を取り付けることによって、樹脂材料からなる框材が溶解した際に生じる連通孔を塞ぐと共に、通常時には、ドア本体の外周部に配置した金属製の框補助材によって使用者が怪我をすることなく、また、枠体に配置した加熱膨張材を補助材に対して確実に膨張させることで、火災時の室内外の連通を確実に防止している。
以下に、吊元側の左縦枠１３及び左縦框２３を示しながら説明する。
【００３３】
ドア本体２を支持する枠体１を構成する吊元側の左縦枠１３は、図４（ａ）に示すように、アルミ形材からなる中空の左金属縦枠１３１と樹脂材料からなる左樹脂縦枠を備えているが、左金属縦枠１３１を構成する中空の左縦枠本体部１３１ａは、室内側内周部に段部１３１ｃが形成されており、段部１３１ｃの室内側面には勝手口ドアの閉鎖時にドア本体２の吊元側に当接するヒレ状の気密材ｓ７が取り付けられている。
左縦枠本体部１３１ａの段部１３１ｃよりも室内側の内周面と左主樹脂縦枠１３２の左主樹脂縦枠中空部１３２ａの内周面は面一に形成されており、段部１３１ｃから左主樹脂縦枠１３２の左戸当部１３２ｃの内周面に亘って外周方向に凹む凹部１３ａが設けられている。
凹部１３ａを構成する左金属縦枠１３１の段部１３１ｃよりも室内側の内周面から左主樹脂縦枠１３２の左戸当部１３２ｃの室外側面にかけて金属製の補強部材５３が配置されており、左縦枠１３の内周面に形成された凹部１３ａは、内周面が金属材料により覆われて形成されている。
左戸当部１３２ｃの内周室外側面には、一部が加熱膨張材により形成された気密材ｓ３が配置されており、凹部１３ａの内周面に配置された補強部材５３の左戸当部１３２ｃ側端部は、気密材ｓ３の基部の近傍に至っている。
【００３４】
一方、ドア本体２を構成する吊元側の左縦框２３は、図４（ｂ），図５（ａ）に示すように、金属左縦框（框材）２３１の外周面にビス等の固定手段によって金属製の框補助材（補強部材）５８が固定されている。框補助材５８は、金属左縦框２３１に固定するための固定部５８ａと、固定部５８ａから外周側に略直角に屈曲して連続する見付け壁部５８ｂと、見付け壁部５８ｂの外周端から室内側に屈曲して連続する先端部５８ｃとからなり、金属左縦框（框材）２３１の長さと略同じ長さを有する長尺部材として形成されている。
【００３５】
金属左縦框（框材）２３１の室内側に配置される樹脂左縦框（框材）２３２の樹脂左縦框本体部２３２ａの外周面は、金属左縦框２３１の外周面よりも外周側に配置されており、樹脂左縦框本体部２３２ａの外周面の室内側端部には、外周方向に突設する突条部２３２ｆが長手方向に沿って形成されている。
そして、樹脂左縦框本体部２３２ａの室外側に突設する条片２３２ｄのうち最も外周側に配置される条片２３２ｄの外周側面と金属左縦框２３１の外周面とが面一に配置されるように、金属左縦框（框材）２３１と樹脂左縦框２３２とが連結されている。
【００３６】
したがって、金属製の框補助材５８は、面一となる金属左縦框２３１の外周面と条片２３２ｄの外周側面に固定部５８ａが配置されるとともに、樹脂左縦框本体部２３２ａの外周端部の室外側面に見付け壁部５８ｂが当接された状態で金属左縦框（框材）２３１の外周面に固定されることで、先端部５８ｃによって樹脂左縦框本体部２３２ａの外周端部を覆うように配置される。
このとき、樹脂左縦框本体部２３２ａの外周面の室内側端部には、外周方向に突設する突条部２３２ｆが長手方向に沿って形成されているので、先端部５８ｃの室内側端の縁部は突条部２３２ｆの室外側に係合して室内側に露出することがない。さらに、框補助材５８の先端部５８ｃは、見付け壁部５８ｂに対して鋭角に形成されており、これにより、先端部５８ｃの室内側端の縁部が突条部２３２ｆから外れることを防止することができる。
そして、金属左縦框２３１の外周面に框補助材５８が固定された後に、図５（ｂ）に示すように、左縦框２３の上下端部に樹脂製の端部キャップ８が装着される。
【００３７】
以上のように、左縦框２３の外周面には、樹脂左縦框２３２の外周面を覆う金属製の框補助材５８が配置されているので、火災時に、左縦枠１３に配置した加熱膨張材が框補助材５８に当接することで、左縦枠１３と左縦框２３との間を閉塞することができる。そして、框補助材５８の室内側端の縁部は樹脂左縦框２３２の外周面に室内側端部に形成された突条部２３２ｆの室外側に係合しているので、金属製の部材である框補助材５８の縁部を樹脂製の突条部２３２ｆにより隠すことができ、意匠性に優れ、かつ、使用者の指や手に触れて怪我をすることを防ぐことができる。
また、加熱膨張材を、一部が加熱膨張材により形成されて左縦枠１３と樹脂左縦框２３２の外周面との間を気密する気密材ｓ３により構成することで、框補助材５８に対して近接した位置に加熱膨張材を配置することができ、膨張早期の時点で框補助材に当接して、縦枠と縦框との間を確実に塞ぐことができる。
【００３８】
また、左縦枠１３の内周面には凹部が形成されており、凹部の内周面には、気密材ｓ３の基部の近傍に至る補強部材５３が配置されているので、図４（ｃ）に示すように、火災時に樹脂左縦枠が溶融しても、膨張した気密材ｓ３は補強部材によりガイドされて凹部に導かれ、凹部１３内に充満して左縦枠に確実の保持された上で、さらに框補助材５８の先端部５８ｃに当接するように左縦枠１３と左縦框２３との間を塞ぐので、枠と障子間の確実な閉鎖が期待できる。
さらに、縦枠に形成された凹部を形成する段部の室内側面にはドア本体の吊元側に当接するヒレ状の気密材ｓ７が設けられているので、ドア本体の開放時においても、凹部の内周面に配置される補強部材５８が気密材ｓ３と気密材ｓ７によって覆われることで保護されて、意匠性を損なうことなく防火性能を向上させることができる。
【００３９】
なお、左枠体に配置する加熱膨張材は、必ずしも気密材の一部を構成する必要はないが、気密材の一部として加熱膨張材を配置することにより、框補助材に対して近接して加熱膨張材を配置することができる。
また、枠体に設けられる凹部及び補強部材５３，框補強材５３による防火構造は、枠体の左縦框に限定されるものではなく、枠体及び框体の枠材、框材に採用することができ、また、これらの防火構造を備える建具は、勝手口ドアに限定されるものではない。
【符号の説明】
【００４０】
１        ：枠体
１１      ：上枠
１１１    ：金属上枠
１１１ａ  ：上枠本体部
１１１ｂ  ：上枠室内側部
１１１ｃ  ：凹部
１１２    ：樹脂上枠
１１２ａ  ：樹脂上枠室外側部
１１２ｂ  ：上戸当部
１１２ｃ  ：樹脂上枠固定部
１１２ｄ  ：顎部
１１２ｅ  ：上樹脂キャップ
１２      ：下枠
１２１    ：金属下枠
１２１ａ  ：下枠本体部
１２１ｂ  ：部
１２２    ：樹脂下枠
１２２ａ  ：下戸当部
１２２ｂ  ：顎部
１３      ：左縦枠
１３ａ    ：凹部
１３１    ：左金属縦枠
１３１ａ  ：左縦枠本体部
１３１ｂ  ：左縦枠室内側部
１３１ｃ  ：段部
１３２    ：左主樹脂縦枠
１３２ａ  ：左主樹脂縦枠中空部
１３２ｂ  ：左主樹脂縦枠溝部
１３２ｃ  ：左戸当部
１３３    ：右副樹脂縦枠
１３３ａ  ：右副樹脂縦枠中空部
１３３ｂ  ：右副樹脂縦枠室外側部
１３３ｃ  ：顎部
１４      ：右縦枠
１４１    ：右金属縦枠
１４１ａ  ：右縦枠本体部
１４１ｂ  ：右縦枠室内側部
１４１ｃ  ：段部
１４２    ：右主樹脂縦枠
１４２ａ  ：右主樹脂縦枠中空部
１４２ｂ  ：右主樹脂縦枠溝部
１４２ｃ  ：右戸当部
１４３    ：右副樹脂縦枠
１４３ａ  ：右副樹脂縦枠中空部
１４３ｂ  ：右副樹脂縦枠室外側部
１４３ｃ  ：顎部
２        ：ドア本体
２１      ：上框
２１ａ    ：上パネル間口
２１１    ：金属上框
２１１ａ  ：上框本体部
２１１ｂ  ：上框上壁部
２１１ｃ  ：上框間口外壁部
２１２    ：樹脂上框
２１２ａ  ：樹脂上框本体部
２１２ｃ  ：上框間口内壁部
２１２ｄ  ：条片
２２      ：下框
２２ａ    ：下パネル間口
２２１    ：金属下框
２２１ａ  ：下框本体部
２２１ｂ  ：下框下壁部
２２１ｃ  ：下框間口外壁部
２２２    ：樹脂下框
２２２ａ  ：樹脂下框本体部
２２２ｃ  ：下框間口内壁部
２２２ｄ  ：条片
２３      ：左縦框
２３ａ    ：左パネル間口
２３１    ：金属左縦框
２３１ａ  ：左縦框本体部
２３１ｂ  ：左縦框間口外壁部
２３１ｄ  ：段部
２３２    ：樹脂左縦框
２３２ａ  ：樹脂左縦框本体部
２３２ｃ  ：左縦框間口内壁部
２３２ｄ  ：条片
２３２ｅ  ：中空部
２３２ｆ  ：突条部
２４      ：右縦框
２４ａ    ：右パネル間口
２４１    ：金属右縦框
２４１ａ  ：右縦框本体部
２４１ｂ  ：右縦框煙返し部
２４１ｃ  ：右縦框間口外壁部
２４１ｄ  ：段部
２４２    ：樹脂右縦框
２４２ａ  ：樹脂右縦框本体部
２４２ｃ  ：右縦框間口内壁部
２４２ｄ  ：条片
２４２ｅ  ：中空部
５１−５７：補強部材
５８      ：補強部材（框補助材）
５８ａ    ：固定部
５８ｂ    ：見付け壁部
５８ｃ    ：先端部
６１      ：補強部材
６１ａ    ：室外側壁部
６１ｂ    ：上壁部
６１ｃ    ：底壁部
６２      ：補強部材
６２ａ    ：室外側壁部
６２ｂ    ：上壁部
６２ｃ    ：底壁部
６３      ：補強部材
６３ａ    ：室外側壁部
６３ｂ    ：外周壁部
６３ｃ    ：内周壁部
６４      ：補強部材
６４ａ    ：室外側壁部
６４ｂ    ：外周壁部
６４ｃ    ：内周壁部
８        ：端部キャップ
【図１】
2018048484.tif 000003
【図２】
2018048484.tif 000004
【図３】
2018048484.tif 000005
【図４】
2018048484.tif 000006
【図５】
2018048484.tif 000007